(57)【要約】      （修正有）【課題】使い捨てタイプの芳香成分担持体を交換して、異種の芳香を放つ芳香成分担持体を使用したときに、交換後の芳香成分担持体が放つ芳香に異種の芳香が混ざり合って使用者が芳香に関して違和感をおぼえる、という不都合を生じないようにする芳香成分拡散装置を提供する。【解決手段】台座７０の座面７４に載置される芳香成分を含浸させた平板状の芳香成分担持体４０に、通風口２１を通過した気流を接触させて芳香を拡散させる芳香成分拡散装置であって、通風口２１を有する仕切り板２０に設けた台座７０が、仕切り板に重なり合った座板部７１と、上面が座面７４として形成された板状部７２と、芳香成分担持体４０の嵌合孔４４，４５が着脱自在に嵌合された突軸部７３とを有する。座面７４の表面積が座板部７１の上面の面積よりも小さい。【選択図】図２
0003212493.tif 000002
【実用新案登録請求の範囲】
【請求項１】
通風口を有する仕切り板に台座が設けられ、この台座の座面に載置されてなる芳香成分を含浸させた平板状の芳香成分担持体に、上記通風口を通過した気流を接触させて芳香を拡散させるように構成された芳香成分拡散装置であって、
上記台座が、上記仕切り板に重なり合ってその重なり箇所を覆う座板部と、この座板部から突出してその上面が上記座面として形成されている板状部と、この板状部に設けられて上記芳香成分担持体に設けられた嵌合孔が着脱自在に嵌合される突軸部と、を有していると共に、板状部の上記座面の表面積が上記座板部の上面の面積よりも小さいことを特徴とする芳香成分拡散装置。
【請求項２】
上記仕切り板の全体が、上記通風口が並列された外周部の通風領域と上記通風口を有しない中央部の非通風領域とに区画され、上記台座の座板部が仕切り板の非通風領域の略全体に重なり合っていると共に、上記板状部の座面に載置された芳香成分担持体の外周部が、上記座板部の外側に張り出して仕切り板の上記通風領域に対面するように構成されている請求項１に記載した芳香成分拡散装置。
【請求項３】
上記仕切り板及び上記台座の座板部が共に平面視円形状に形成されていて、台座の座板部が仕切り板の中央部に固定され、その台座の上記板状部が円板状に形成されて上記座板部の中央部に設けられていると共に、板状部の上記座面に載置された上記芳香成分担持体と上記座板部との間に隙間が形成されるように構成されている請求項１又は請求項２に記載した芳香成分拡散装置。
【請求項４】
上記通風口を通過する気流の発生源が、筒形筐体の内部に上向きに装備されて振動板の振動によって再生音と気流とを生じさせる機能を備えたスピーカーユニットであり、上記筒形筐体の上部に配備された上記仕切り板によって上記スピーカーユニットの振動板が覆われていると共に、上記仕切り板の通風口に、上記再生音を外部に放出する音口の機能を具備させている請求項１ないし請求項３のいずれか１項に記載した芳香成分拡散装置。
【考案の詳細な説明】
【技術分野】
【０００１】
本考案は、芳香成分拡散装置、特に、気流を利用して芳香成分担持体から芳香を周囲に拡散させることのできる芳香成分拡散装置に関する。
【背景技術】
【０００２】
従来より、人にとっての良質な入眠環境を整えることを意図してある種の芳香（アロマ）やスピーカによる再生音を利用することが行われている。
【０００３】
先行例として、超音波振動によって発生させた霧に香料成分を同伴させるようにしたアロマディフューザーが提案されている（たとえば、特許文献１参照）。また、他の先行例として、アロマディフューザーやメロディカードをプリザードフラワーといった装飾品と組み合わせて使用するようにしたヒーリングプリザードフラワーも提案されている（たとえば、特許文献２参照）。そのほか、アロマディフューザーのような芳香成分拡散装置には、芳香成分を自然拡散させるもの、芳香成分を加熱して拡散させる方法を利用したもの、なども知られている。
【０００４】
一方、本願出願人は、先に、芳香成分担持体に含浸させた芳香成分を、気流を利用して室内などの空気中に拡散させることのできる芳香成分拡散装置を提案した。この芳香成分拡散装置を従来例とし、図８及び図９を参照して説明する。
図８は従来例による芳香成分拡散装置の分解斜視図、図９は図８の芳香成分拡散装置の上部の構成を示した縦断側面図である。
【０００５】
図８又は図９に示した芳香成分拡散装置では、円筒状の筒形筐体１０の上部に保護カバーとしての円板形の仕切り板２０が設けられている。図９に示したように、この仕切り板２０は、その全体が、外周部の通風領域Ｚ１と中央部の非通風領域Ｚ２とに区画されていて、通風領域Ｚ１には、多数の円形の通風口２１が円環状に配列して形成されているのに対して、通風口が形成されていない非通風領域Ｚ２は盲板状に形成されている。また、仕切り板２０は、その非通風領域Ｚ２の中央部に円柱状の小突起でなる突軸部２２が上向きに設けられている。そして、嵌合孔３１を有する円板状のスペーサーとしての台座３０の上記嵌合孔３１が上記突軸部２２に嵌め込まれていることによって、その台座３０が仕切り板２０の非通風領域Ｚ２の上に重ね合わされている。台座３０は、後述する芳香成分担持体４０に含浸されている芳香成分を含む薬剤が付着しても容易に腐食や劣化を来しにくい材料、たとえばアルミニウム合金などの金属や高耐食性樹脂などで作られている。
【０００６】
図８に示した芳香成分担持体４０は、円板形に作製されていて、その中心部に嵌合孔４１を有している。この芳香成分担持体４０には、その全体に亘って芳香成分を含む薬剤が含浸されていて、通常は使い捨てタイプとして提供される。
【０００７】
図９のように、この芳香成分拡散装置では、筒形筐体１０の上部にダイナミック型のスピーカーユニット５０が上向きに組み付けられていて、このスピーカーユニット５０の振動板５１の振動に伴って生じる粗密波、振動、脈動などを伴う気流が、仕切り板２０の通風領域Ｚ１の通風口２１を通過する。また、同図のように、芳香成分担持体４０は、その嵌合孔４１を台座３０の嵌合孔３１から突出している上記突軸部２２に嵌合させることによって、その台座３０の上面によって形成されている座面３２に接触した状態で重ね合わされる。こうして、台座３０の上に芳香成分担持体４０を装着した状態では、同図のように、芳香成分担持体４０の外周部が、台座３０や仕切り板２０の非通風領域Ｚ２の外側へ張り出して仕切り板２０の通風領域Ｚ１の通風口２１に間隔を隔てて対面している。なお、図８において、６０は、筒形筐体１０のホルダー部１２に装着されたバッテリーであり、このバッテリー６０の電力がスピーカーユニット５０の駆動電力として利用される。
【０００８】
この芳香成分拡散装置において、スピーカーユニット５０の振動板５１が振動することによって生じた気流は、仕切り板２０の通風領域Ｚ１の通風口２１を通過して芳香成分担持体４０の外周部に接触し、その周囲に拡散する。この作用により、芳香成分担持体４０に含浸されている芳香成分もその気流を受けて周囲に拡散し、一定の芳香環境を創り出す。また、上記通風口２１は、スピーカーユニット５０による再生音を外部に放出する音口としても作用する。
【０００９】
以上説明した従来例による芳香成分拡散装置では、台座３０が仕切り板２０の非通風領域Ｚ２を覆っていることにより、芳香成分担持体４０に含浸されている芳香成分を含む薬剤が仕切り板２０の非通風領域Ｚ２に付着することがない。そのため、仕切り板２０が筒形筐体１０と共に樹脂で一体成形されているとしても、芳香成分担持体５０に含浸されている芳香成分を含む薬剤が仕切り板２０の非通風領域Ｚ２に付着して仕切り板２０が早期に劣化するという事態を生じない、という利点を有している。
【先行技術文献】
【特許文献】
【００１０】
【特許文献１】特開２０１６−１５３１１７号公報
【特許文献２】特開２０１１−１０６０７８号公報
【考案の概要】
【考案が解決しようとする課題】
【００１１】
しかしながら、従来例による芳香成分拡散装置は次に説明する不都合を生じる可能性のあることが知見された。すなわち、従来例による芳香成分拡散装置において、台座３０の座面３２に芳香成分担持体４０の裏面が接触した状態で載置されていることにより、その座面３２に、芳香成分担持体４０の裏面に存在する芳香成分を含む薬剤が付着してしまう。しかも、台座３０は、仕切り板２０の非通風領域Ｚ２のほぼ全体を覆う大きさを有していることによりその座面３２の表面積が比較的広くなっている。そのため、座面３２に付着する芳香成分を含む薬剤の量もその表面積に見合う程度に多くなる。そのため、使い捨てタイプとして提供されている芳香成分担持体４０を交換し、異種の芳香を放つ芳香成分担持体４０を台座３０に装着して使用すると、交換後の芳香成分担持体４０が放つ芳香に、その前に座面３２に付着していた芳香が混ざり合って周囲に拡散され、その結果、使用者が芳香に関して違和感をおぼえる、という不都合を生じる可能性があった。
【００１２】
本考案は、以上の状況に鑑みてなされたものであり、台座に備わっている仕切り板の保護作用、具体的には、芳香成分担持体に含浸されている芳香成分を含む薬剤の影響を受けて仕切り板が早期に劣化するという事態を防ぐという保護作用を損なうことなく、使い捨てタイプとして提供されている芳香成分担持体を交換して、異種の芳香を放つ芳香成分担持体を使用したとしても、台座の座面に付着する芳香成分を含む薬剤の量が少なく抑えられるようになり、交換後の芳香成分担持体が放つ芳香に異種の芳香が混ざり合って使用者が芳香に関して違和感をおぼえる、という不都合を生じることのない芳香成分拡散装置を提供することを目的とする。
【課題を解決するための手段】
【００１３】
本考案に係る芳香成分拡散装置は、通風口を有する仕切り板に台座が設けられ、この台座の座面に載置されてなる芳香成分を含浸させた平板状の芳香成分担持体に、上記通風口を通過した気流を接触させて芳香を拡散させるように構成されている。そして、上記台座が、上記仕切り板に重なり合ってその重なり箇所を覆う座板部と、この座板部から突出してその上面が上記座面として形成されている板状部と、この板状部に設けられて上記芳香成分担持体に設けられた嵌合孔が着脱自在に嵌合される突軸部と、を有していると共に、板状部の上記座面の表面積が上記座板部の上面の面積よりも小さい、というものである。
【００１４】
このように構成されている芳香成分拡散装置によれば、台座の座板部が仕切り板に重なり合ってその重なり箇所を覆っているので、少なくとも座板部との重なり箇所では、仕切り板に芳香成分担持体に含浸されている芳香成分を含む薬剤が付着することがなくなる。その結果、台座による仕切り板の保護作用、具体的には、芳香成分担持体に含浸されている芳香成分を含む薬剤の影響を受けて仕切り板が早期に劣化するという事態を防ぐという保護作用が損なわれない。また、台座に設けられた板状部の上面によって形成されている座面の表面積が座板部の上面の面積よりも小さい、という構成を採用したことにより、座面に付着する芳香成分を含む薬剤の量が、上記した従来例のような円板状の台座の上面を座面とした場合に比べて少なくなる。そのため、交換後の芳香成分担持体が放つ芳香に異種の芳香が混ざり合ったとしても、異種の芳香成分の量が少ないので、使用者が芳香に関して違和感をおぼえる、という不都合を生じることがなくなる。
【００１５】
本考案では、上記仕切り板の全体が、上記通風口が並列された外周部の通風領域と上記通風口を有しない中央部の非通風領域とに区画され、上記台座の座板部が仕切り板の非通風領域の略全体に重なり合っていると共に、上記板状部の座面に載置された芳香成分担持体の外周部が、上記座板部の外側に張り出して仕切り板の上記通風領域に対面するように構成されていることが望ましい。この構成を採用しておくと、台座の座板部が仕切り板の非通風領域の略全体に重なり合ってその重なり箇所を覆うので、座板部との重なり箇所では、仕切り板に芳香成分担持体に含浸されている芳香成分を含む薬剤が付着することがなくなり、上記した台座による仕切り板の保護作用が確実に発揮されるようになる。しかも、仕切り板の通風口を通過した気流が芳香成分担持体の外周部に主に接触することになり、芳香成分担持体の外周部から芳香成分が満遍なく一様に拡散される一方で、芳香成分担持体の中央部から外周部に向けて芳香成分担持体に含浸されている芳香成分が漸次補給されることになるので、芳香成分担持体に含浸されている芳香成分が効率よく有効使用されることになる。
【００１６】
本考案では、上記仕切り板及び上記台座の座板部が共に平面視円形状に形成されていて、台座の座板部が仕切り板の中央部に固定され、その台座の上記板状部が円板状に形成されて上記座板部の中央部に設けられていると共に、板状部の上記座面に載置された上記芳香成分担持体と上記座板部との間に隙間が形成されるように構成されていることが望ましい。この構成を採用すると、台座の座板部に芳香成分担持体の芳香成分が付着することがない。また、芳香成分担持体の外周部に接触する気流によってその外周部から芳香成分が拡散されるだけでなく、板状部の座面に載置された芳香成分担持体と上記座板部との間の隙間に流入する気流によっても芳香成分担持体から芳香成分が拡散される。そのために、芳香成分の拡散量が全体として多くなり、それだけ芳香環境が創出されやすくなる。
【００１７】
本考案では、上記通風口を通過する気流の発生源が、筒形筐体の内部に上向きに装備されて振動板の振動によって再生音と気流とを生じさせる機能を備えたスピーカーユニットであり、上記筒形筐体の上部に配備された上記仕切り板によって上記スピーカーユニットの振動板が覆われていると共に、上記仕切り板の通風口に、上記再生音を外部に放出する音口の機能を具備させている、という構成を採用することが可能である。この構成を採用すると、スピーカーユニットによって発せられる再生音と芳香成分担持体に接触する気流とが仕切り板の通風口を通過するために、再生音によって創り出される音環境と、気流が芳香成分担持体から芳香成分を拡散させることによって創り出される芳香環境と、の両方が同時に創り出される。しかも、スピーカーユニットやその振動板などに異物が当たってそれらが損傷するというような事態が仕切り板によって未然に防止される。さらに筒形筐体がスピーカーユニットによる再生音の音質を向上させる機能を発揮するエンクロージャーとして役立つ。
【考案の効果】
【００１８】
以上のように、本考案に係る芳香成分拡散装置によれば、台座の座板部に備わっている仕切り板の保護作用により、芳香成分担持体に含浸されている芳香成分を含む薬剤の影響を受けて仕切り板が早期に劣化するという事態が起こらなくなるだけでなく、使い捨てタイプとして提供されている芳香成分担持体を交換して、異種の芳香を放つ芳香成分担持体を使用したとしても、交換後の芳香成分担持体が放つ芳香に異種の芳香が混ざり合って使用者が芳香に関して違和感をおぼえる、という不都合を生じることのない芳香成分拡散装置を提供することが可能になる。
【図面の簡単な説明】
【００１９】
【図１】本考案の実施形態に係る芳香成分拡散装置の一例を示した概略分解斜視図である。
【図２】図１の芳香成分拡散装置の上部の構成を示した縦断側面図である。
【図３】台座の側面図である。
【図４】台座の平面図である。
【図５】芳香成分担持体を分解して示した縦断側面図である。
【図６】図２の要部の拡大図である。
【図７】変形例による芳香成分担持体を採用した事例での図２の要部の拡大図である。
【図８】従来例による芳香成分拡散装置の分解斜視図である。
【図９】図８の芳香成分拡散装置の上部の構成を示した縦断側面図である。
【考案を実施するための形態】
【００２０】
図１は本考案の実施形態に係る芳香成分拡散装置の一例を示した概略分解斜視図、図２は図１の芳香成分拡散装置の上部の構成を示した縦断側面図である。
【００２１】
図１に示したように、この実施形態に係る芳香成分拡散装置では、円筒状の筒形筐体１０の上部に平面視円形状に形成された円板形の仕切り板２０が設けられている。図２に示したように、この仕切り板２０は、その全体が、外周部の幅狭の通風領域Ｚ１と中央部の面積の広い非通風領域Ｚ２とに２区画されていて、通風領域Ｚ１には、多数の円形の通風口２１が円環状に配列して形成されているのに対して、通風口が形成されていない非通風領域Ｚ２は盲板状に形成されている。そして、仕切り板２０の中央部に台座７０が設けられている。
【００２２】
また、図２のように、この芳香成分拡散装置では、筒形筐体１０の上部にダイナミック型のスピーカーユニット５０が上向きに組み付けられていて、このスピーカーユニット５０の振動板５１の振動に伴って生じる粗密波、振動、脈動などを伴う気流が、仕切り板２０の通風領域Ｚ１の通風口２１を通過するように構成されている。
【００２３】
なお、図１において、６０は、筒形筐体１０のホルダー部１２に装着されたバッテリーであり、このバッテリー６０の電力がスピーカーユニット５０の駆動電力として利用される。
【００２４】
図３は台座７０の側面図、図４は台座７０の平面図である。図３及び図４のように、台座７０は、円板状の座板部７１と、座板部７１の中央部から突出した平面視円形の偏平な板状部７２と、この板状部７２の中央部に設けられた円柱状の突軸部７３とを有していて、板状部７２の上面が、後述する芳香成分担持体４０が載置される座面７４として形成されている。この構成により、座面７４の外周直径が座板部７１の外周直径よりも小さくなっている。また、円環状の板状部７２の座面７４の表面積が円環状の座板部７１の上面の面積よりも小さくなっている。そして、図１又は図２のように、座板部７１が、仕切り板２０の非通風領域Ｚ２の略全体に重なり合ってその重なり箇所を覆った状態でその仕切り板２０に接着などの適宜手段を用いて固定されている。また、台座７０は、後述する芳香成分担持体４０に含浸されている芳香成分を含む薬剤が付着しても容易に腐食や劣化を来しにくい材料、たとえばアルミニウム合金などの金属や高耐食性樹脂などで作られている。
【００２５】
図３及び図４を参照して説明した実施形態に係る台座７０において、座板部７１は、図８及び図９を参照して説明した従来例に係るスペーサーとしての台座３０に相応し、また、同実施形態に係る突軸部７３は、同従来例に係る突軸部２２に相応している。
【００２６】
図５は芳香成分担持体４０を分解して示した縦断側面図である。この芳香成分担持体４０は、全体として平板状であって、円板形の担持体本体４２と、この担持体本体４２に重ね合わされてその裏面全体を覆う円形の樹脂シート４３と、からなる。そして、担持体本体４２に芳香成分が含浸されている。また、担持体本体４２及び樹脂シート４３には、それらの中心部に嵌合孔４４，４５がそれぞれ形成されている。この芳香成分担持体４０は、通常は使い捨てタイプとして提供される。
【００２７】
図６は図２の要部の拡大図である。図２又は図６のように、芳香成分担持体４０は、担持体本体４２及び樹脂シート４３のそれぞれの嵌合孔４４，４５を、台座７０の突軸部７３に着脱自在に嵌合させることによって、その台座３０の板状部７２の上面によって形成されている座面７４に接触した状態で重ね合わされる。こうして、台座７０に芳香成分担持体４０を装着すると、図６のように、芳香成分担持体４０の外周部が、台座７０の座板部７１や仕切り板２０の非通風領域Ｚ２（図２参照）の外側へ張り出して仕切り板２０の通風領域Ｚ１の通風口２１に間隔を隔てて対面している。また、担持体本体４２と座面７４との間に介在された樹脂シート４３によって、担持体本体４２が座面７４に直接に接触することが阻止されている。
【００２８】
この芳香成分拡散装置において、スピーカーユニット５０の振動板５１が振動することによって生じた気流は、仕切り板２０の通風領域Ｚ１（図２参照）の通風口２１を通過して芳香成分担持体４０の外周部に接触し、その周囲に拡散する。この作用により、芳香成分担持体４０の担持体本体４２に含浸されている芳香成分もその気流を受けて周囲に拡散し、一定の芳香環境を創り出す。また、上記通風口２１は、スピーカーユニット５０による再生音を外部に放出する音口としても作用する。
【００２９】
また、台座７０の座板部７１が仕切り板２０の非通風領域Ｚ２（図２参照）の略全体を覆っていることにより、芳香成分担持体４０に含浸されている芳香成分を含む薬剤が仕切り板２０の非通風領域Ｚ２に付着することがない。そのため、仕切り板２０が筒形筐体１０と共に樹脂で一体成形されているとしても、芳香成分担持体５０に含浸されている芳香成分を含む薬剤が仕切り板２０の非通風領域Ｚ２（図２参照）に付着して仕切り板２０が早期に劣化するという事態が生じない。
【００３０】
さらに、図６に示したように、台座７０の座板部７１と芳香成分担持体４０との間には隙間Ｓが存在していて、座板部７１の上面に芳香成分担持体４０が接触していないので、座板部７１の上面に芳香成分担持体４０の担持体本体４２の裏面に存在する芳香成分が付着することはほとんどない。特に、この実施形態では、担持体本体４２の裏面全体に樹脂シート４３が重なり合っているので、この樹脂シート４３による遮蔽作用によって、座板部７１の上面に芳香成分が付着することが確実に防止される。また、担持体本体４２と座面７４との間に介在された樹脂シート４３によって、担持体本体４２が座面７４に直接に接触することが阻止されているために、その座面７４に、担持体本体４２の裏面に存在する芳香成分が付着することもない。したがって、使い捨てタイプとして提供されている芳香成分担持体４０を交換し、異種の芳香を放つ芳香成分担持体４０を台座７０に装着して使用したとしても、交換後の芳香成分担持体４０が放つ芳香に、その前に座板部７１の上面や座面７４に付着していた芳香が混ざり合って周囲に拡散されるという事態を生じる余地がない。その結果、使用者が芳香に関して違和感をおぼえる、という不都合を生じることがない。
【００３１】
なお、樹脂シート４３は、それ自体が比較的柔軟な特性を有しているため、図６に仮想線で示したように外周部が周囲に垂れ下がるという状況が起こり得るけれども、そのような状況下でも、上記したような樹脂シート４３による遮蔽作用や、樹脂シート４３によって担持体本体４２が座面７４に接触することが防止されるという作用が損なわれることはない。樹脂シート４３による上記遮蔽作用をさらに確実に発揮させるためには、樹脂シート４３の片面にアルミ蒸着膜を形成しておくとよいことが判っている。
【００３２】
以上の実施形態では、芳香成分担持体４０を、担持体本体４２と樹脂シート４３とによって形成した事例を説明したけれども、この点は、樹脂シート４３を省略することによって担持体本体４２に相当する部材だけで芳香成分担持体４０（変形例による芳香成分担持体４０）を形成することも可能である。
【００３３】
図７は変形例による芳香成分担持体４０を採用した事例での図２の要部の拡大図である。変形例による芳香成分担持体４０を採用した事例においても、図７のように台座７０に芳香成分担持体４０を装着した状態では、芳香成分担持体４０の外周部が、台座７０の座板部７１や仕切り板２０の非通風領域Ｚ２（図２参照）の外側へ張り出して仕切り板２０の通風領域Ｚ１の通風口２１に間隔を隔てて対面している。したがって、上記同様に、スピーカーユニット５０の振動板５１が振動することによって生じた気流が、仕切り板２０の通風領域Ｚ１（図２参照）の通風口２１を通過して芳香成分担持体５０の外周部に接触し、その周囲に拡散するのに伴って、芳香成分担持体４０に含浸されている芳香成分もその気流を受けて周囲に拡散し、一定の芳香環境を創り出す。また、台座７０の座板部７１が仕切り板２０の非通風領域Ｚ２（図２参照）の略全体を覆っていることにより、芳香成分担持体４０に含浸されている芳香成分を含む薬剤が仕切り板２０の非通風領域Ｚ２に付着することがない。そのため、仕切り板２０が筒形筐体１０と共に樹脂で一体成形されているとしても、芳香成分担持体５０に含浸されている芳香成分を含む薬剤が仕切り板２０の非通風領域Ｚ２（図２参照）に付着して仕切り板２０が早期に劣化するという事態が生じない。
【００３４】
さらに、台座７０の座板部７１と芳香成分担持体４０との間には隙間Ｓが存在していて、その座板部７１の上面に芳香成分担持体４０が接触していないので、座板部７１の上面に芳香成分担持体４０の担持体本体４２の裏面に存在する芳香成分が付着することもほとんどない。したがって、使い捨てタイプとして提供されている芳香成分担持体４０を交換し、異種の芳香を放つ芳香成分担持体４０を台座３０に装着して使用したとしても、交換後の芳香成分担持体４０が放つ芳香に、その前に座板部７１の上面に付着していた芳香が混ざり合って周囲に拡散されることがなくなる。
【００３５】
ところで、図７に示した実施形態の芳香成分拡散装置においても、台座７０の板状部７２の座面７４に、芳香成分担持体４０の裏面に存在する芳香成分を含む薬剤が付着するけれども、その座面７４の表面積は、図８又は図９を参照して説明した従来例による台座３０の座面３２に相当している座板部７１の上面の面積よりも小さいために、芳香成分を含む薬剤の座面７４への付着量は従来例よりも少なくなる。そのため、交換後の芳香成分担持体４０が放つ芳香に、その前に座面７４に付着していた芳香が混ざり合って周囲に拡散されるとしても、使用者が芳香に関して違和感をおぼえる、という不都合を生じることがない。
【００３６】
なお、図１〜図９において、同一又は相応する要素には、説明の便宜上、同一の符号を付してある。
【符号の説明】
【００３７】
１０  筒形筐体
２０  仕切り板
２１  通風口
４０  芳香成分担持体
４４，４５  嵌合孔
５０  スピーカーユニット
５１  振動板
７０  台座
７１  座板部
７２  板状部
７３  突軸部
７４  座面
Ｚ１  通風領域
Ｚ２  非通風領域
Ｓ  隙間
【図１】
0003212493.tif 000003
【図２】
0003212493.tif 000004
【図３】
0003212493.tif 000005
【図４】
0003212493.tif 000006
【図５】
0003212493.tif 000007
【図６】
0003212493.tif 000008
【図７】
0003212493.tif 000009
【図８】
0003212493.tif 000010
【図９】
0003212493.tif 000011